(57)【要約】      （修正有）【課題】健常者及び高齢者や子どもでも、容易に安心して使用できるカップを提供する。【解決手段】取っ手の一端を本体上部に接合して、一端は本体底部と同一面になる構造にすることで、２点で接地するため転倒しにくい構造を可能とした。また本体上面部に段差を設けた積み重ねできる構造を有しており、省スペースの収納を可能とした。更に取っ手は、握りやすい三角おにぎり状の断面、手全体で把持できる長さ、取っ手と本体の距離を取っ手側に重心が来るよう従来よりも広く取ることで、従来のカップよりも使いやすいカップとした。【選択図】図５
0003152713.tif 000002
【実用新案登録請求の範囲】
【請求項１】
取っ手を有するカップであって、取っ手の一端をカップ上部に接合して、もう一方の一端はカップに接合させず、カップ本体底部と同一面になるよう接地させた取っ手部とカップ本体部からなり、本体底面部と取っ手接地部の２点で接地することを特徴とするユニバーサルデザイン・カップ。
【請求項２】
前記の取っ手は、取っ手の上部の一端でのみでカップと接合しており、取っ手を接合せさているカップの上面部分と、それより下方の本体部分に段差を設け、スタッキングできることを特徴とする、請求項１に記載のユニバーサルデザイン・カップ。
【請求項３】
前記の取っ手を、掌や指で把持する際に、掌及び指全体で保持できるように取っ手の断面を三角おにぎり状の断面形状として、取っ手とカップ本体の距離を従来の一般的なカップよりも広く取る構造により、取っ手側に全体の重心位置が移動することで、筋肉への負担も少なくなり、重量も軽く感じることを特徴とする、請求項１または請求項２に記載のユニバーサルデザイン・カップ。
【考案の詳細な説明】
【技術分野】
【０００１】
本考案は、一般の家庭で使用される取っ手を有するカップであり、従来のカップよりも容易に安心して使用できるカップを提供するものである。
【背景技術】
【０００２】
従来の一般的なカップは、取っ手の上部と下部の両端が本体のカップに接合されており、本体底面部のみで接していたため、転倒して中身がこぼれるなどの危険性があった。
【０００３】
従来の一般的なカップは、取っ手の上部と下部の両端が本体のカップに接合されているため、スタッキングすることが困難で、収納時にも場所を取ってしまうなどの不便さがあった。
【０００４】
従来の一般的なカップは、取っ手の上部と下部の両端が本体のカップに接合されており、本体カップのサイズと比較して取っ手の把持部分が小さいため、掌や指全体で把持できず、重心位置も本体側にあるため、高齢者や子どもなどは、カップを保持することに余分な力を必要としていた。
【考案の概要】
【考案が解決しようとする課題】
【０００５】
従来の一般的なカップは、取っ手の上部と下部の両端が本体のカップに接合されており、そのため、取っ手のサイズによっては、指が入らない、持った時のバランスが悪い、本体に指が接するため中身が高温の飲料の場合、指が熱くなって持てないなどの課題があった。また、本体の底面部のみで接しているため、あやまって転倒してしまうなど安全性にも課題があった。このような状態を回避して、容易で安心なカップが望まれていた。本考案は、健常者はもとより、高齢者や子どもでも容易に安心して使用できる、使いやすいカップを提供することである。
【課題を解決するための手段】
【０００６】
上記のように、従来の一般的なカップには、未だ解決できていない課題があったため、課題解決のため鋭意取り組んだ。
【０００７】
本考案のカップは、取っ手の一端をカップ上部に接合して、もう一端はカップに接合させず、カップ本体底部と同一面になるよう接地させた取っ手部とカップ本体部からなり、本体底面部と取っ手接地部の２点で接地しているため、従来の一般的なカップよりも本考案のカップは転倒しにくい構造を可能とした。
【０００８】
本考案のカップの取っ手は、取っ手の一端をカップ上部に接合して、もう一端はカップに接着させていないため、取っ手が接合しているカップの上面と、それより下方の本体に段差を設け、取っ手が接合しているカップ上面の幅でスタッキングする構造を有しており、そのため従来の一般的なカップでは重ねて収納できなかったが、本考案のカップでは、省スペースで収納できることを可能とした。
【０００９】
本考案のカップの取っ手は、掌や指で把持する際に、掌と指全体で保持できるように三角おにぎり状の断面形状と、平均的な人体寸法の親指及び人差し指から小指までの指で持てる長さを有しており、取っ手とカップ本体の接合部の距離を従来よりも広く取る構造により、取っ手側に全体の重心位置が移動することで、従来の一般的なカップよりも、筋肉への負担が少なく、同重量のものでは軽く感じ、取り回しにおいても使いやすいカップであることを可能とした。
【考案の効果】
【００１０】
前述の課題の解決の項にあるように、本考案では、取っ手の一端をカップ上部に接合して、もう一端はカップに接合させず、カップ本体底部と同一面になるよう接地させることで、本体底面部と取っ手接地部の２点で接地しているため、従来の一般的なカップよりも転倒しにくく、温度の高い飲料を飲用している場合でも、こぼれにくいため、安全面での効果を得ることができた。
【００１１】
また本考案では、取っ手の一端をカップ上部に接合して、もう一端はカップに接着させていないため、取っ手が接合しているカップの上面と、それより下方の本体に段差を設け、取っ手が接合しているカップ上面の幅でスタッキングする構造を有しており、そのため従来の一般的なカップでは重ねて収納できなかったものが、重ねて収納できるようになり、食器棚など広いスペースを必要としていた従来の一般的なカップに比べ、省スペース収納に効果を発揮できた。
【００１２】
更に本考案では、掌や指で把持する際に、従来の一般的なカップでは、指１〜２本で保持するものがほとんどであるが、本考案のカップは、掌と指全体で保持できるように三角おにぎり状の断面形状と、平均的な人体寸法の親指及び人差し指から小指までの指で持てる長さを有しており、取っ手とカップ本体の距離を従来よりも広く取る構造により、温度の高い飲料を飲用している場合でも、取っ手を握った手が本体に触れることを防ぎ、取っ手側に全体の重心位置が移動することで、従来の一般的なカップよりも、筋肉への負担も少なく、同重量のものでは軽く感じ、取り回しにおいても使いやすいカップであることを、筋電図及び動作解析による人間工学的評価方法においても実証することができ、健常者はもとより高齢者や子どもにとっても、従来の一般的なカップよりも、容易に安心して使用できる効果を有する考案であると言える。
【図面の簡単な説明】
【００１３】
【図１】本考案に係わるカップの正面図である。
【図２】本考案に係わるカップの側面図である。
【図３】本考案に係わるカップの上面図である。
【図４】図１のA-A矢視の取っ手断面図である。
【図５】本考案に係わるカップの重なりを示した説明図である。
【図６】従来の一般的なカップの説明図である。
【考案を実施するための最良の形態】
【００１４】
以下に本考案の実施形態に係るカップについて説明する。
【００１５】
本考案のカップは、取っ手の一端を本体と接合させ、もう一端は本体底面と同一面になるよう接地させることで転倒しにくく、重ねて収納できること、掌と指全体で保持できるように取っ手の断面形状と長さを工夫したこと、取っ手とカップ本体の距離を従来よりも広く取ることで、本体に指が接しにくく重心が手元にくるため安全で操作も容易なこと、これらの実施条件を満たすものであり、形状や色・柄などについては、様々なパターンで構成できるものである。
【実施例】
【００１６】
次に本考案の実施例を示すが、本考案はもとより下記実施例によって何ら制限を受けるものではなく、前後記の趣旨に適合し得る範囲で、適切に変更を加えて実施することも勿論可能であり、それらはいずれも本考案の技術的範囲に含まれる。
【００１７】
図１は、実施例に係わるカップの正面図。図２はその側面図。図３はその上面図。図４は図１のA-A断面図、図５は本体を重ねた状態の説明図、図６は従来の一般的なカップの説明図である。これらの図において、１はカップ本体で、２は取っ手部分である。図６のように従来の一般的なカップは、取っ手の両端がカップ本体に接合されているが、本考案のカップは、図１のように本体と取っ手の接合部2aでカップ本体１と取っ手２が接合されており、取っ手の下部2bをカップ本体１に接着するのではなく、図５のようにカップ本体１の底部と同一の面で接地させることで、転倒しにくい構造を可能とした他、カップ本体１を本体の開口部1aの接合部分とその下方部分1bにおいて図１のような段差をつけることで、図５のようにスタッキングできる構造を可能とした。取っ手２は、図４に図示するように、掌と指全体で保持できるように三角おにぎり状の断面形状と、平均的な人体寸法の親指及び人差し指から小指までの指で持てる長さを有しており,４つの指で充分握ることができ、取っ手２がカップ本体１から少し離れていることで、カップ本体１に指が付きにくく、重心が手元へくることで、従来のものよりも持ちやすく、飲みやすい、容易で安全なカップを可能とするものである。
【００１８】
このようにして、使いやすさに配慮したカップにより、健常者はもとより高齢者や子どもでも、容易で安全に使用することができる。
【産業上の利用可能性】
【００１９】
通常のカップの他、スープマグやカフェオレボールなどにも適応でき、陶磁器だけでなく、プラスチックや金属などの他の素材にも適応する。
【符号の説明】
【００２０】
１  カップ本体
２  取っ手
1a  本体の開口部
1b  本体開口部と本体下部との段差部分
2a  本体と取っ手の接合部
2b  本体底面と同一の面に接地する取っ手の端部
Ａ  取っ手の断面部分
【図１】
0003152713.tif 000003
【図２】
0003152713.tif 000004
【図３】
0003152713.tif 000005
【図４】
0003152713.tif 000006
【図５】
0003152713.tif 000007
【図６】
0003152713.tif 000008
【手続補正書】
【提出日】平成21年6月8日(2009.6.8)
【手続補正１】
【補正対象書類名】実用新案登録請求の範囲
【補正対象項目名】全文
【補正方法】変更
【補正の内容】
【実用新案登録請求の範囲】
【請求項１】
取っ手を有するカップであって、取っ手の一端をカップ上部に接合して、もう一方の一端はカップに接合させず、カップ本体底部と同一面になるよう接地させた取っ手部とカップ本体部からなり、本体底面部と取っ手接地部の２点で接地することを特徴とするユニバーサルデザイン・カップ。
【請求項２】
前記の取っ手は、取っ手の上部の一端でのみカップと接合しており、取っ手を接合させているカップの上面部分と、それより下方の本体部分に段差を設けることで、カップ上面の幅でスタッキングできることを特徴とする請求項１に記載のユニバーサルデザイン・カップ。
【請求項３】
前記の取っ手を、掌や指で把持する際に、掌及び指全体で保持できるように、取っ手の断面を三角おにぎり状の断面形状として、長さは平均的な人体寸法の親指及び人差し指から小指までの指で持てる長さを有しており、取っ手とカップ本体の距離を、取っ手側に全体の重心位置が移動するようにしたことを特徴とする請求項１または２に記載のユニバーサルデザイン・カップ。